(57)【要約】【課題】本発明は、高い放熱効率を有し、且つ組立て易い照明装置を提供することを目的とする。【解決手段】本発明に係る照明装置は、本発明に係る照明装置は、カバーと、本体及び前記本体に接続する積載板を備え、前記本体と前記カバーが係合して中空キャビティを形成し、前記積載板は、前記中空キャビティ内の前記本体と前記カバーとの接続箇所に位置する放熱モジュールと、前記積載板上に設置され且つ前記カバーに対向する複数の発光ユニットと、を備える。【選択図】図２
2011014535.tif 000002
【特許請求の範囲】
【請求項１】
カバーと、
本体及び前記本体に接続する積載板を備え、前記本体と前記カバーが係合して中空キャビティを形成し、前記積載板は、前記中空キャビティ内の前記本体と前記カバーとの接続箇所に位置する放熱モジュールと、
前記積載板上に設置され且つ前記カバーに対向する複数の発光ユニットと、
を備えることを特徴とする照明装置。
【請求項２】
前記放熱モジュールは、２つの積載板を備え、前記本体には溝が形成され、前記２つの積載板は、前記溝の開口部に設置され、且つ前記開口部の相対する両側に位置し、前記２つの積載板は同じ平面に位置することを特徴とする請求項１に記載の照明装置。
【請求項３】
前記２つの積載板に当接して、前記２つの積載板を連接する反射カバーをさらに備え、前記反射カバーは、その上に照射した光線を前記カバーに反射して射出することを特徴とする請求項２に記載の照明装置。
【請求項４】
前記放熱モジュールは、２つの積載板を備え、前記本体には溝が形成され、前記２つの積載板は、前記溝の開口部に設置され、且つ前記開口部の相対する両側に位置し、前記２つの積載板は、前記溝の底部に向って延在することを特徴とする請求項１に記載の照明装置。
【請求項５】
前記積載板は、互いに接続する複数の積載部を備え、各々の積載部は、積載面及び該積載面に接続する反射面を有し、前記複数の発光ユニットは、前記複数の積載面に設置され、前記反射面は、前記発光ユニットからの光線を反射することを特徴とする請求項１〜４のいずれか一項に記載の照明装置。
【請求項６】
前記発光ユニットからの光線を均一に発散させるミクロ構造を有し、且つ前記中空キャビティ内に設置される光学レンズをさらに備えることを特徴とする請求項１〜５のいずれか一項に記載の照明装置。
【請求項７】
前記カバーの前記積載板に対面する表面には、前記発光ユニットからの光線を均一に発散させるミクロ構造が設置されることを特徴とする請求項１〜５のいずれか一項に記載の照明装置。
【発明の詳細な説明】
【技術分野】
【０００１】
本発明は、照明装置に関するものであって、特に発光ダイオード照明装置に関するものである。
【背景技術】
【０００２】
発光ダイオード（Ｌｉｇｈｔ  Ｅｍｉｔｔｉｎｇ  Ｄｉｏｄｅ，ＬＥＤ）は、高輝度、低消費電力、長寿命である等の利点を有することから、冷陰極蛍光ランプ（Ｃｏｌｄ  Ｃａｔｈｏｄｅ  Ｆｌｕｏｒｅｓｃｅｎｔ  Ｌａｍｐ，ＣＣＦＬ）に代わって照明装置の光源として広く応用される。
【０００３】
発光ダイオードは長時間作動すると、生じる熱量が多くなって、その寿命が短縮される。このような問題を避けるために、発光ダイオードに放熱ファン、ヒートパイプなどのような放熱素子を提供する。従来の照明装置において、各々の素子の間の相対位置関係の設計及びその材料の導熱性能は理想的ではないため、発光ダイオードが作動する時に生じる熱量を即時に放熱することができず、従って照明装置の正常作動に影響する。
【０００４】
従来の発光ダイオードランプは、縦長い中空管状であって、発光ダイオードは中空管内に設置される。前記中空管の放熱面積は小さく、且つ安全性を高めるために、前記中空管は一般的にプラスチック、ガラスなどの材料からなるため、その導熱性能が悪い。このため、発光ダイオードが作動する時に生じる熱量は、前記中空管によって短時間内で外界空気に放熱することができず、発光ダイオードの正常作動に影響する。なお、前記発光ダイオードランプは密封の中空管であるため、その内部素子を組立、補修し難い。
【発明の概要】
【発明が解決しようとする課題】
【０００５】
本発明の目的は、前記課題を解決し、高い放熱効率を有し、且つ組立て易い照明装置を提供することにある。
【課題を解決するための手段】
【０００６】
本発明に係る照明装置は、カバーと、本体及び前記本体に接続する積載板を備え、前記本体と前記カバーとが係合して中空キャビティを形成し、前記積載板は、前記中空キャビティ内の前記本体と前記カバーとの接続箇所に位置する放熱モジュールと、前記積載板上に設置され且つ前記カバーに対向する複数の発光ユニットと、を備える。
【発明の効果】
【０００７】
本発明に係わる照明装置において、発光ユニットが作動する時に生じる熱量は、放熱モジュールに直接に伝わり、且つ前記放熱モジュールによって外界空気に直接に伝わる。前記放熱モジュールは、外界空気に直接に接触するため、高い放熱効率を有する。前記照明装置における前記発光ユニットを収容する中空キャビティは、カバー及び前記放熱モジュールの本体が係合して形成されるため、前記照明装置は、構造が簡単であり、組立て易い。
【図面の簡単な説明】
【０００８】
【図１】本発明の第一実施形態に係る照明装置の構造を示す立体図である。
【図２】図１に示す照明装置の分解図である。
【図３】図１に示す照明装置のIII―III線に沿う断面図である。
【図４】図１に示す照明装置のカバー及び放熱モジュールの端面がＵ字形であることを示す図である。
【図５】本発明の第二実施形態に係る照明装置の部分分解図である。
【図６】図５に示す照明装置のVI―VI線に沿う断面図である。
【図７】本発明の第三実施形態に係る照明装置の分解図である。
【図８】図７に示す照明装置の放熱モジュールの局部拡大図である。
【図９】図７に示す照明装置の断面図である。
【発明を実施するための形態】
【０００９】
以下、図面を参照して、本発明の実施形態について説明する。
【００１０】
図１〜図３を参照すると、本発明の第一実施形態に係る照明装置１０は、カバー１１と、放熱モジュール１２と、複数の発光ユニット１３と、反射カバー１４と、２つの接続部１５と、を備える。
【００１１】
前記カバー１１は、中空の半円柱状であり、ガラス又は樹脂などのような導光材料からなる。前記カバー１１の内表面１１１には、前記カバー１１の長手方向に沿って複数ののこぎり歯状のミクロ構造１１２が設置されており、前記ミクロ構造１１２は、光線を均一に発散させる。
【００１２】
前記放熱モジュール１２は、本体１２１と、前記本体１２１に接続する２つの積載板１２２と、を備える。前記本体１２１は、中空の半円柱状であり、前記カバー１１と係合して、中空キャビティ１２３を有する中空円柱体を形成する。前記２つの積載板１２２は、前記本体１２１の開口部に設置されており、且つ前記開口部の相対する両側に位置する。前記２つの積載板１２２は、同じ平面に位置し、即ち前記２つの積載板１２２は、前記中空円柱体の半径方向に沿って延在する。前記放熱モジュール１２は、高い導熱性能を有する材料からなる。
【００１３】
前記複数の発光ユニット１３は、放熱ゴムなどによって前記積載板１２２に固定され、且つ前記カバー１１に相対して設置される。前記複数の発光ユニット１３からの光線は、前記カバー１１から射出する。前記複数の発光ユニット１３は、ワイヤボンディングなどの方式によって電気接続し、且つ電源に電気接続する。前記発光ユニット１３は、発光ダイオード、発光ダイオードチップなどの固体発光素子である。
【００１４】
前記反射カバー１４は、前記中空キャビティ１２３内に収容されており、且つ前記２つの積載板１２２に当接して、前記２つの積載板１２２を連接する。本実施形態において、前記反射カバー１４は、前記カバー１１に対面するアーチ形の反射面１４１を有する。前記反射面１４１は、その上に照射した光線を前記カバー１１に反射することにより、前記複数の発光ユニット１３からの光線が前記放熱モジュール１２に照射することを防止して、前記照明装置１０の出光効率を高めるとともに、前記照明装置１０の出光方向を変えて、前記照明装置１０の出光均一度を高める。前記反射カバー１４の端面は、アーチ形に限定されるものではなく、台形、錐状などとすることもできる。
【００１５】
前記２つの接続部１５は、前記カバー１１及び前記放熱モジュール１２の両端に接続され、前記照明装置１０を外部素子に接続することに用いられる。
【００１６】
前記照明装置１０の発光ユニット１３は、前記放熱モジュール１２に直接に設置され、且つ前記放熱モジュール１２は、直接に外界空気に接触するため、前記発光ユニット１３が作動する時に生じる熱量は、前記放熱モジュール１２によって直接に外界空気に伝送される。前記照明装置１０は、高い放熱効率を有し、構造が簡単であり、組立て易い。
【００１７】
前記放熱モジュール１２の本体１２１及び前記カバー１１は、中空の半円柱状に限定されるものではなく、その端面は、Ｕ字形、多辺形などであることもできる。図４に示したように、前記カバー１１及び前記本体１２１の端面は、全てＵ字形である。
【００１８】
図５及び図６を参照すると、本発明の第二実施形態に係る照明装置２０は、カバー２１と、放熱モジュール２２と、複数の発光ユニット２３と、反射カバー２４と、接続部２５と、を備える。
【００１９】
前記第一実施形態に係る照明装置１０に比べて、本実施形態に係る照明装置２０は、以下のような相違点を有する。前記放熱モジュール２２の本体２２１は、上表面側が開口した中空の円錐台である。前記放熱モジュール２２の積載板２２２は、その中心が開口された円環状であり、前記本体２２１の開口側に設置され、且つ前記本体２２１に接続する。前記カバー２１及び前記本体２２１が係合して、中空キャビティ２２３を形成する。前記複数の発光ユニット２３は、前記積載板２２２に設置され、前記複数の発光ユニット２３からの光線は、前記カバー２１から射出する。前記反射カバー２４は、前記積載板２２２の開口の上方に設置され、且つ前記積載板２２２に当接する。前記反射カバー２４は、その上に照射した光線を前記カバー２１に反射することにより、前記複数の発光ユニット２３からの光線が前記放熱モジュール２２に照射することを防止して、前記照明装置２０の出光効率を高めるとともに、前記照明装置２０の出光方向を変えて、前記照明装置２０の出光均一度を高める。前記接続部２５は、前記放熱モジュール２２の本体２２１の下表面に接続されて、前記照明装置２０を外部素子に電気接続することに用いられる。
【００２０】
前記放熱モジュール２２は、前記発光ユニット２３が作動する時に生じる熱量を直接に外界空気に伝送するため、前記照明装置２０は、高い放熱効率を有し、且つ構造が簡単であり、組立て易い。
【００２１】
図７〜図９を参照すると、本発明の第三実施形態に係る照明装置３０は、カバー３１と、放熱モジュール３２と、複数の発光ユニット３３と、２つの接続部３５と、光学レンズ３６と、を備える。
【００２２】
前記第一実施形態に係る照明装置１０に比べて、本実施形態に係る照明装置３０は、以下のような相違点を有する。前記放熱モジュール３２の本体３２１は、溝３２３を有し、２つの積載板３２２は、前記溝３２３の底部に向って延在する。各々の積載板３２２は、複数の積載部３２４を備え、各々の積載部３２４は、積載面３２４１及び該積載面３２４１に接続する反射面３２４２を有する。前記複数の発光ユニット３３は、前記複数の積載面３２４１に設置される。前記複数の反射面３２４２は、前記発光ユニット３３からの光線を反射し、且つ隣り合う２つの発光ユニット３３からの光線が重なることを防止して、前記照明装置３０の出光均一度を高める。前記カバー３１は、キャビティを有する中空の半円柱状であり、前記光学レンズ３６は、前記カバー３１のキャビティ内に設置される。前記光学レンズ３６の入光面３６１には、複数ののこぎり歯状のミクロ構造３６２が設置されており、前記ミクロ構造３６２は、前記複数の発光ユニット３３からの光線を均一に発散させて、前記照明装置３０の出光均一度をさらに高める。
【００２３】
前記積載板３２２と前記本体３２１との間の角度を適当に調整することにより、前記照明装置３０の出光方向を調整することができ、従って前記照明装置３０の出光均一度を高める。
【００２４】
本実施形態に係る放熱モジュール３２の構造は、前記第２実施形態に係る照明装置２０に応用することもできる。
【００２５】
他の実施形態において、発光ダイオード又は発光ダイオードチップの数量及び配列順序、ミクロ構造の種類、配列順序を変換することができる。
【００２６】
以上、本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲から決まる。
【符号の説明】
【００２７】
１０  照明装置
１１  カバー
１２  放熱モジュール
１３  発光ユニット
１４  反射カバー
１５  接続部
２０  照明装置
２１  カバー
２２  放熱モジュール
２３  発光ユニット
２４  反射カバー
２５  接続部
３０  照明装置
３１  カバー
３２  放熱モジュール
３３  発光ユニット
３５  接続部
３６  光学レンズ
１１１  内表面
１１２  ミクロ構造
１２１  本体
１２２  積載板
１２３  中空キャビティ
１４１  反射面
２２１  本体
２２２  積載板
２２３  中空キャビティ
３２１  本体
３２２  積載板
３２３  溝
３２４  積載部
３６１  入光面
３６２  ミクロ構造
３２４１  積載面
３２４２  反射面
【図１】
2011014535.tif 000003
【図２】
2011014535.tif 000004
【図３】
2011014535.tif 000005
【図４】
2011014535.tif 000006
【図５】
2011014535.tif 000007
【図６】
2011014535.tif 000008
【図７】
2011014535.tif 000009
【図８】
2011014535.tif 000010
【図９】
2011014535.tif 000011